(57)【要約】【課題】使用時における下肢空間が広く、かつ、テーブルの収納時や移動時における省スペース化を図ることができるテーブルを提供することを目的とする。【解決手段】一対の脚部３と、該脚部３、３間に設けられた天板１３からなるテーブル１において、前記天板１３の裏面側に天板側連結片８ｂを垂設し、該天板側連結片８ｂの下部に脚部３を回転軸９により回転可能に連結して脚部３を天板１３の裏側へ倒伏可能に備え、脚部３の起立状態において、該脚部３と前記天板側連結片８ｂとを締結・解除する締結手段２０をもうける。【選択図】図３
2006304945.tif 000002
【特許請求の範囲】
【請求項１】
一対の脚部と、該脚部間に設けられた天板からなるテーブルにおいて、
前記天板の裏面側に天板側連結片を垂設し、該天板側連結片の下部に脚部を回転軸により回転可能に連結して脚部を天板の裏側へ倒伏可能に備え、脚部の起立状態において、該脚部と前記天板側連結片とを締結・解除する締結手段をもうけたことを特徴とする脚折れテーブル。
【請求項２】
前記脚部の回転軸より上部における脚部に、脚部の起立時に前記天板側連結片の方向へ突出する鍵状部を回転可能に設けるとともに、該鍵状部を回転操作する操作部材を設け、前記天板側連結片には、前記鍵状部と対向する位置に、該鍵状部を貫通できる鍵状穴を形成して、前記締結手段を構成したことを特徴とする請求項１記載の脚折れテーブル。
【請求項３】
前記操作部材の締結状態を保持したり、これを解除するロック手段を設けたことを特徴とする請求項２記載の脚折れテーブル。
【請求項４】
前記天板を、前記脚部の回転方向と直交する方向に回転可能に備えたことを特徴とする請求項１又は２又は３記載の脚折れテーブル。
【発明の詳細な説明】
【技術分野】
【０００１】
本発明は、脚折れテーブルに関する。
【背景技術】
【０００２】
従来、テーブルの収納時に、脚を折り畳んでスペースをとらないようにしたものとして、図２１に示すような脚折れテーブル１００がある（例えば、特許文献１参照）。
【０００３】
該脚折れテーブル１００の天板１０１の下面には、その天板１０１の前側と後側において、天板１０１の左右方向に沿って金属製の枠フレーム１０２が固設されて、該枠フレーム１０２の左右端部には、支脚１０３の上端が回転軸１０６により回転可能に備えられ、該支脚１０３を起立状態と折り畳み状態とに起倒できるようになっている。また、前記支脚１０３の起立状態は、支脚１０３と枠フレーム１０２間に傾斜して架設された支脚保持枠１０４、１０５で保持され、該支脚保持枠１０４、１０５を折り畳んで、図１５に示すように、支脚１０３を折り畳むことができるようになっている。
【０００４】
また、従来の支脚の上部に天板を回転可能に設けたフラップテープルにおいて、天板に対して支脚が折り畳むことができないようにしたものがある。
【特許文献１】特開２００４−２２３０５０公報
【発明の開示】
【発明が解決しようとする課題】
【０００５】
前記図１３、１４に示す従来のテーブル１００においては、枠フレーム１０２と支脚１０３とが、支脚保持枠１０４、１０５により連結されているために、支脚１０３と枠フレーム１０２とで作られる下肢空間内に、支脚保持枠１０４、１０５が存在し、下肢空間が狭くなるという問題がある。
【０００６】
また、前記従来のフラップテーブルにおいては、天板を傾斜させることにより、同じ室内・フロアー内を移動することは容易であるが、別のフロアーに移動する為にエレベータに乗せるときには、天板と支脚とがイの字状態で偏平状態にならないことからフラップテーブルの占有空間が大きく、一度に多くのテーブルを乗せることが出来ず異なるフロアーへの移動が困難であった。
【０００７】
そこで本発明は、使用時における下肢空間が広く、かつ、テーブルの収納時や移動時における省スペース化を図ることができるテーブルを提供することを目的とするものである。  
【課題を解決するための手段】
【０００８】
前記の課題を解決するために、請求項１記載の発明は、一対の脚部と、該脚部間に設けられた天板からなるテーブルにおいて、
前記天板の裏面側に天板側連結片を垂設し、該天板側連結片の下部に脚部を回転軸により回転可能に連結して脚部を天板の裏側へ倒伏可能に備え、脚部の起立状態において、該脚部と前記天板側連結片とを締結・解除する締結手段をもうけたことを特徴とするものである。
【０００９】
請求項２記載の発明は、請求項１記載の発明において、前記脚部の回転軸より上部における脚部に、脚部の起立時に前記天板側連結片の方向へ突出する鍵状部を回転可能に設けるとともに、該鍵状部を回転操作する操作部材を設け、前記天板側連結片には、前記鍵状部と対向する位置に、該鍵状部を貫通できる鍵状穴を形成して、前記締結手段を構成したことを特徴とするものである。
【００１０】
請求項３記載の発明は、請求項２記載の発明において、前記操作部材の締結状態を保持したり、これを解除するロック手段を設けたことを特徴とするものである。
【００１１】
請求項４記載の発明は、請求項１又は２又は３記載の発明において、前記天板を、前記脚部の回転方向と直交する方向に回転可能に備えたことを特徴とするものである。
【発明の効果】
【００１２】
本発明によれば、脚部の起立状態を天板側連結片と脚部とを締結して保持するため、前記従来のテーブル１００の支脚保持枠１０４、１０５が不要となり、使用状態において、下肢空間の広いテーブルを提供できる。
【００１３】
請求項３の発明によれば、フラップテーブルにおいても、脚を折り畳むことが出来、脚を折り畳んで、フラップテーブルの占有空間を小さくすることが出来、一度に多くのフラップテーブルをエレベータに積載して、異なるフロアーへの移動が容易になる。
【００１４】
請求項４の発明によれば、操作部材が不用意に解除されず安全である。
【発明を実施するための最良の形態】
【００１５】
本発明を実施するための最良の形態を図１乃至図１３に示す実施例に基づいて説明する。
【実施例１】
【００１６】
本実施例１は、本発明を、天板が起倒するフラップテーブルに適用した例である。
テーブル１の下部には左右側に位置して一対の横脚２が設けられており、該横脚２は前後方向に、かつ、並行して配置されている。また、両横脚２には支柱４が立設されている。なお、テーブル１における着席側Ａを後側とし、着席側と反対の側、すなわち、反着席側Ｂを前側とする。
【００１７】
また、前記一方の横脚２及び支柱４側と他方の横脚２及び支柱４側の構造は同様の構造であるため、一方の横脚２及び支柱４側のみ、すなわち、一方の脚部３のみについて説明し、他方の横脚２と支柱４側の構造については説明を省略する。
【００１８】
前記横脚２の前後端部の下面には、車輪６、７が具備されおり、実施例ではキャスタを用いている。
【００１９】
横脚２の上面には、その前後方向の中央部から前側寄りに偏位して支柱４が立設され、該支柱４は金属製の角パイプで形成されてその下端部が横脚２に固着されている。また、前記支柱４は、横脚２の上面から上方に起立し、かつ、上方が後側Ａ方向に傾斜している。
【００２０】
前記横脚２と、前記支柱４と、前記車輪６、７とで脚部３を構成している。
そして、前記支柱４の上部の内側面には連結部材８が配置されている。該連結部材８は、図４に示すように、支柱側連結片８ａと天板側連結片８ｂ及び第１回転軸９でヒンジ状に構成されている。支柱側連結片８ａと天板側連結片８ｂは、図４、図５に示すように、第１回転軸９で回転可能に連結し、支柱側連結片８ａが支柱４に固着され、天板側連結片８ｂが、第１回転軸９から上方へ向って配置されている。したがって、天板側連結片８ｂは、支柱４の起立状態において、支柱４に固着された支柱側連結片８ｂと第１回転軸９とによって図１及び図２に示すように起立状態に保持されている。前記第１回転軸９は、テーブル１の前後方向に設けられ、支柱側連結片８ａが左右方向に回転可能に設けられている。また、天板１３の左右方向に設けられた天板側連結片８ｂ、８ｂ間には補強材である貫パイプ１０が架設されている。
【００２１】
天板側連結片８ｂの上部には、左右方向に水平に配置された第２回転軸１１が設けられており、該第２回転軸１１に、これを回転軸として天板取付板１２が前後方向に回動可能に備えられている。つまり、第１回転軸９と第２回転軸１１は直交している。
【００２２】
更に、該天板取付板１２の上面には天板１３が固着されており、前記第２回転軸１１を中心として天板取付板１２とともに天板１３が前後方向に回動できるようになっている。
【００２３】
また、天板取付板１２には、第３回転軸１４が回転可能に設けられ、該第３回転軸１４に操作レバー１５とストッパレバー１６が固設され、操作レバー１５と第３回転軸１４とストッパレバー１６が一体的に回転するようになっている。更に、前記ストッパレバー１６には係止片１６ａが設けられており、天板１３を図１に示すように水平状態にして操作レバー１５を下動すると係止片１６ａが前記天板側連結片８ｂ側に設けた係止溝１７ａに係止して天板１３の水平状態を保持し、操作レバー１５を上動して係止片１６ａを係止溝１７ａから外した後天板１３を起立させ、その後に操作レバー１５を下動することにより、図２に示すように、係止片１６ａを天板側連結片８ｂ側に設けた係止溝１７ｂに係止して天板１３の起立状態を保持できるようになっている。
【００２４】
また、前記ストッパレバー１５には、これを前記係止溝１７ａ、１７ｂ方向へ常時付勢する図示しない付勢手段であるスプリングが設けられている。
【００２５】
前記天板１３、天板取付板１２、第２回転軸１１、貫きパイプ１０等によりテーブル本体部１８が構成されている。
【００２６】
以上のように、脚部３とテーブル本体部１８は、前記第１回転軸９を介して連結されているため、天板１３を水平状態にした状態で脚部３を天板１３における内側下面（裏面）に向かって折り畳むことができるようになっている。
【００２７】
連結部材８の支柱側連結片８ａには、その第１回転軸９より上部に位置して前記第１回転軸９と直交する方向に表裏を貫通する穴部８ｃが形成されており、該穴部８ｃに、図６に示す締結手段２０に突設した軸２０ａが回転可能に貫通している。該軸２０ａの支柱側の端部は、図９に示すように、支柱４内に突入し、その突入端は操作レバー２０ｃの上端に固設されている。操作レバー２０ｃと前記軸２０ａの連結部は支柱４内に設けられ、操作レバー２０ｃは、前記連結部から屈曲して支柱４に設けられた開口部４ａを通じてテーブルの後側Ａ方向の支柱４外に突出している。また、前記軸２０ａのテーブル本体１８側端部には、締結部材２０ｄが固設されている。該締結部材２０ｄには、前記軸２０ａの軸方向と直交する方向に鍵状部２０ｅが突設している。
【００２８】
更に、前記操作レバー２０ｃは前記軸２０ａを中心として回動し、支柱４に対して図８に示すように下方へ回動することにより締結状態となり、図７に示すように上方へ回動することにより解除状態となるようになっている。更に、操作レバー２０ｃの下端には第１ストッパ２０ｇが形成され、該第１ストッパ２０ｇが支柱４の側面に当接することにより操作レバー２０ｃが締結状態となり、また、操作レバー２０ｃの上部には第２ストッパ２０ｆが形成され、該第２ストッパ２０ｆが支柱４の側面に当接することにより操作レバー２０ｃが解除状態になるようになっている。
【００２９】
更に、前記第１ストッパ２０ｇ部には係止部２０ｈが形成されており、第１ストッパ２０ｇが支柱４に当接した状態で、支柱４に軸２１ａにより回転可能に設けた係止部材２１を係止部２０ｈに図１０（ｂ）に示すように係止したり、図１０（ａ）に示すようにこれを解除できるようになっている。
【００３０】
また、連結部材８の天板側連結片８ｂには前記第１回転軸９と直交する方向に表裏を貫通する鍵穴部８ｄが形成されている。該鍵穴部８ｄは、図７に示すように、支柱４とともに支柱側連結片８ａを起立させた状態であって、かつ、操作レバー２０ｃを図７に示すように解除状態にした状態において、前記鍵状部２０ｅと対向し、かつ、鍵状部２０ｅの外形状より若干大きな相似形状に形成されている。したがって、操作レバー２０ｃを図７の解除状態にした場合には、鍵状部２０ｅと鍵状穴８ｄが合致して鍵状部２０ｅが鍵状穴８ｄを通過できる状態となり、支柱４の起倒が可能になる。
【００３１】
また、鍵穴部８ｄが上記のように形成されることにより、支柱４の起立状態において、操作レバー２０ｃを図８に示すように締結状態に回動すると、鍵状部２０ｅが鍵状穴８ｄと齟齬し、該鍵状部２０ｅが天板側連結片８ｂの内側面８ｅに係止して支柱４の倒伏を阻止するようになっている。
【００３２】
前記締結部２０ｄは貫パイプ１０内に位置している。
前記脚部３の横脚２の内側には、図１乃至図３に示すようなキャッチャー２３が固設されている。
【００３３】
該キャッチャー２３は図１３に示すように、底板２３ｂの両側に、内外方向に弾性を有する屈曲した一対の挟持片２３ａ、２３ａを対向配置して形成し、その底板２３ｂを横脚２に固着して設けられている。更に、該キャッチャー２３は、脚部３を天板１３側へ折り畳んだ場合に、挟持片２３ａ、２３ａがスナップヒットで貫きパイプ１０に嵌合し、脚部３の折り畳み状態を保持するようになっている。
【００３４】
次に、前記脚部３の折り畳み状態からこれを起立して前記テーブル本体部１８と締結する操作について説明する。
【００３５】
先ず、脚部３の起立前、例えば図１１の折り畳み状態において、操作レバー２０ｃを支柱４に対して上側方向に回動し、図７に示すように、操作レバー２０ｃを第２ストッパ２０ｆが支柱４に当接するまで回動する。次に、図１１の折り畳み状態から、脚部３を第１回転軸９を中心として起立させる。これにより、図７に示すように、鍵状部２０ｅを有する締結部材２０ｄが、天板側連結片８ｂの鍵穴部８ｄを貫通し、締結部材２０ｄが図９に示すように天板側連結片８ｂの内側の外面より突出する。
【００３６】
このように、締結部材２０ｄとともに鍵状部２０ｅが鍵穴部８ｄを貫通した後に、操作レバー２０ｃを、図８に示すように、第１ストッパ２０ｇが支柱４に当接するまで下側方向に回動する。これにより、鍵状部２０ｅが鍵穴部８ｄから回転方向に外れて天板側連結片８ｂの側面８ｅに係止し、脚部３と前記テーブル本体部１８とが締結され、支柱４の起立状態が固定保持される。
【００３７】
そして、ロック手段である係止部材２１を操作レバー２０ｃの係止部２０ｈに係止して、不用意に操作レバー２０ｃが解除されないようにロックする。
【００３８】
なお、ロック手段としては、前記操作レバー２０ｃの端部２０ｇを支柱４に噛合させなどの方法により固定するようにしても良い。
【００３９】
次に、前記の脚部３の起立状態から、脚部３を折り畳む場合の操作について説明する。  図１に示す天板１３の水平状態において、係止部材２１を係止部２０ｈから外した後に、操作レバー２０ｃを支柱４に対して上方へ回動し、第２ストッパ２０ｆが支柱４に当接するまで回動する。これにより、鍵状部２０ｅが図７に示すように鍵穴部８ｄに合致し、脚部３とテーブル本体部１８と締結が解除される。
【００４０】
次に、前記第１回転軸９を中心として脚部３を、内側方向（図３の矢印Ｃ方向）へ回動すると、鍵上部２０ｄが鍵穴部８ｄを通り抜け、脚部３を内側方向、すなわち、天板１３の下面側へ折り畳むことができる。脚部３の横脚２の内側には、図１３に示すキャッチャー２３が設けられているため、該キャッチャー２３を貫きパイプ１０に噛合させることにより、脚部３の折り畳み状態が保持される。
【００４１】
本発明のテーブル１は上記の構造を有するために次の効果を奏する。
本発明のテーブル１は、天板の裏面の両側部に垂設した天板側連結片８ｂと支柱４の上部とを締結手段により締結して脚部３の起立状態を保持するようにしたので、従来テーブル１００に使用されている支脚保持枠１０４、１０５が不要となり、支脚４と貫きパイプ１０で構成される下肢空間を広く取ることができる。また、操作レバー２０ｃ以外の部材を、支脚４と貫きパイプ１０内に設けたことで、操作レバー２０ｃ以外の部材が外面に露出せず、外観上の美観が良い。
【００４２】
また、従来のフラップテーブルは、収納時や移動時において、図２に示すように、天板１３を起立状態にすることしかできなかった。この起立状態においては、テーブルの安定性を保持するために横脚２が必要となり、図２の状態ではテーブル１の占有空間が大きい。しかし、本発明では、横脚２と支柱４からなる脚部３を天板１３の裏面側へ折り畳むことで図１２に示すようにテーブル１の全体を偏平状にしてテーブル１の占有空間を小さくすることが出来る。
【００４３】
また、従来の単に天板を傾けるのみのフラップテーブルは、同じフロアー内を移動するには容易であるが、異なるフロアー間（異なる階層）への移動時においては、占有空間が大きいことからエレベータへの搭載には、エレベータの容積が小さいと、フラップテーブルを傾けるなどしなければ搭載できなかったり、搭載できたとしても多くの数を一度に搭載できない。また、階段でテーブルを持ち上げて移動させる際にも、持ち上げた状態で保持しにくく移動が困難であった。
【００４４】
しかし、本発明では図１２に示すように脚部３を折り畳むことで、テーブル全体が偏平状となり、エレベータ内への搭載が容易で、かつ、一度に多数のテーブル１を搭載することが可能となる。また、階段を通じて移動させる際も、作業者が手で持ち上げた状態で保持しやすく移動が従来に比べて容易となる。
【００４５】
また、操作レバー２０ｃを、その第１ストッパ２０ｆが支柱４に当接するまで回動することにより、図７に示すように、鍵状部２０ｅが鍵穴部８ｄに挿通可能に停止し、その位置合わせが容易、かつ、確実となる。また、図８に示すように、操作レバー２０ｃを、その第２ストッパ２０ｇが支柱４に当接するまで回動することにより、締結状態が、容易、かつ、確実に行える。このように、操作レバー２０ｃの第１ストッパ２０ｆと第２ストッパ２０ｇとが位置決め手段となり、締結・解除が容易になる上、操作レバー２０ｃの上動位置と下動位置によって、操作レバー２０ｃの解除状態とロック状態が目視によって明確となる。
【００４６】
また、係止部材２１からなるロック手段により、操作レバー２０ｃの締結状態を固定できるようにしたため、脚部３と本体部１８とが締結された状態において、不用意に操作レバー２０ｃが回動して、締結状態が解除されることがなく誤使用を防止できる。
【００４７】
また、脚部３を折り畳んだ時に、キャッチャー２３が貫きパイプ１０に嵌合し、脚部３が固定保持されるために、テーブル１の移動時に脚部３が起立することを防止できる。
【００４８】
なお、前記軸２０ａを天板側連結片８ｂに回転可能に貫通して設け、操作レバー２０ｃをテーブル本体部１８側に設け、締結部材２０ｄを支柱４側へ突出するように設け、支柱側連結片８ａに鍵穴部８ｄを設けて締結手段２０を構成してもよい。
【実施例２】
【００４９】
図１４乃至図２０は本発明の実施例２を示す。
本実施例２は、本発明をフラップテーブルではなく、天板が起倒しない通常のテーブルに適用した例である。
【００５０】
テーブル３１における天板３２の下面には、その天板３２の前側と後側において、天板３２の左右方向に沿って金属製の枠フレーム３３、３４が固設されている。
【００５１】
そして、該枠フレーム３３、３４の左右端部で天板３２の下面には連結部材３５が配置されている。該連結部材３５は、図１７に示すように、前記実施例１の連結部材８と同様に、支柱側連結片３５ａと天板側連結片３５ｂ及び第１回転軸３６でヒンジ状に構成され、支柱側連結片３５ａと天板側連結片３５ｂは、第１回転軸３６で回転可能に連結している。該天板側連結片３５ｂは、前記枠フレーム３３、３４の左右端部に固着され、支柱側連結片８ａの前後端部には、支柱３７、３８が固着され、天板側連結片３５ｂが、第１回転軸３６から上方へ向って配置されている。したがって、天板側連結片３５ｂは、支柱３７、３８の起立状態において、支柱３７、３８に固着された支柱側連結片３５ｂと第１回転軸３６とによって図１７に示すように起立状態に保持されている。前記第１回転軸３６は、テーブル３１の前後方向に設けられ、支柱側連結片３５ａが左右方向に回転可能に設けられている。また、支柱３７、３８の前後方向には補強材である円形のパイプ３９が架設されている。
【００５２】
支柱３７、３８及びパイプ３９により脚部４０を構成している。
また、テーブルの左右方における前記一方の支柱３７、３８側と他方の支柱３７、３８側の構造は同様の構造であるため、一方の支柱３７、３８側のみ、すなわち、一方の脚部４０のみについて説明し、他方の支柱３７、３８側の構造については説明を省略する。  
【００５３】
前記天板３２、枠フレーム３３等によりテーブル本体部４１が構成されている。
以上のように、脚部４０とテーブル本体部４１は、前記第１回転軸３６を介して連結されているため、脚部４０を、第１回転軸３６を中心として天板３２における内側下面（裏面）に向かって折り畳むことができるようになっている。
【００５４】
連結部材３５の支柱側連結片３５ａには、その第１回転軸３６より上部に位置して前記第１回転軸３６と直交する方向に表裏を貫通する穴部３５ｃが形成されており、該穴部３５ｃに、締結手段４２に突設した軸４２ａが回転可能に貫通している。
【００５５】
該軸４２ａの支柱側の端部は、操作レバー４２ｃの上端に固設され、軸４２ａのテーブル本体４１側端部には、締結部材４２ｄが固設されている。該締結部材４２ｄは図１６に示すように短冊状の板で形成され、該締結部材４２ｄには、前記軸４２ａの軸方向と直交する方向に鍵状部４２ｅが突設している。
【００５６】
更に、前記操作レバー４２ｃは前記軸４２ａと一体に、かつ、該軸４２ａを中心として回動し、天板３２に対して図１６に示すように下向きへ回動し、天板３２に対して略垂直状態にすることにより締結部材４２ｄが締結状態となり、図１８に示すよう、前記垂直状態から左右いずれかの方向で、天板３２に当接するまで回動することにより、締結部材４２ｄが解除状態となるようになっている。
【００５７】
また、連結部材３５の天板側連結片３５ｂには前記第１回転軸３６と直交する方向に表裏を貫通する鍵穴部３５ｄが形成されている。該鍵穴部３５ｄは、図１７、１８に示すように、支柱３７、３８、とともに支柱側連結片３５ａを起立させた状態であって、かつ、操作レバー４２ｃを図１８に示すように解除状態にした状態において、前記鍵状部４２ｅと対向して形成されている。該鍵穴部３５ｄは、操作レバー４２ｃの左右いずれの方向に天板３２に当接するまで回動した状態における鍵状部４２ｅの外形状より若干大きな形状に形成されている。したがって、操作レバー４２ｃを左右いずれかの方向に回動して図１８の解除状態にした場合には、鍵状部４２ｅと鍵状穴３５ｄが合致して鍵状部４２ｅが鍵状穴３５ｄを通過できる状態となり、脚部４０の起倒が可能になる。
【００５８】
また、鍵穴部３５ｄが上記のように形成されていることにより、脚部４０の起立状態において、操作レバー４２ｃを図１６に示すように締結状態に回動すると、鍵状部４２ｅが鍵状穴３５ｄと齟齬し、該鍵状部４２ｅが天板側連結片３５ｂの内側面３５ｅに係止して脚部４０の倒伏を阻止するようになっている。
【００５９】
前記天板３２の下側には、図１９に示すようなキャッチャー４５が固設されている。
該キャッチャー４５は、前記実施例１のキャッチャー２３と同様に、内外方向に弾性を有する屈曲した一対の挟持片４５ａ、４５ａを対向配置して形成している。更に、該キャッチャー４５は、脚部４０を天板３２側へ折り畳んだ場合に、挟持片４５ａ、４５ａがスナップヒットでパイプ３９に嵌合し、脚部４０の折り畳み状態を保持するようになっている。
【００６０】
また、前記脚部４０の折り畳み状態からこれを起立して前記テーブル本体部４１と締結する操作方法、及び脚部４０の起立状態から、脚部４０を折り畳む操作方法については、前記実施例１と同様である。
【００６１】
また、本実施例２においても、前記実施例１のフラップテーブルに起因する効果以外については前記と同様の効果を奏する。
【図面の簡単な説明】
【００６２】
【図１】本発明の実施例１を示すもので、天板を水平状態にしたテーブルの側面図。
【図２】図１の状態から天板を起立した状態のテーブルの側面図。
【図３】図１の状態における一方の脚部側の前面図で、一部を破断した図。
【図４】本発明の実施例１に用いる連結部材を閉じた状態の部分拡大図で、（ａ）は前面図、（ｂ）は側面図。
【図５】本発明の実施例１に用いる連結部材を開いた状態の部分拡大図で、（ａ）は前面図、（ｂ）は側面図。
【図６】本発明の実施例１に用いる操作部材で、（ａ）は前面図、（ｂ）は側面図。
【図７】本発明の実施例１におけるテーブルの脚部と本体部の締結を解除した状態の拡大側断面図。
【図８】図７の状態から操作部材を下動して脚部と本体部を締結した状態の拡大側断面図。
【図９】図８における拡大前断面図。
【図１０】図１に示すようにテーブルの脚部と本体部を締結した状態において、（ａ）はロック手段の操作部材への係止を解除した状態の部分側面図、（ｂ）はロック手段を操作部材に係止した状態の部分側面図。
【図１１】図９の状態から脚部を折り畳んだ状態の前面部分断面図。
【図１２】図３の状態から脚部を折り畳んだ状態の一部前面図。
【図１３】本発明の実施例１に用いるキャッチャーを示すもので、（ａ）は側面図、（ｂ）は前面図、（ｃ）は下面図。
【図１４】本発明の実施例２を示すもので、テーブルの前面図。
【図１５】本発明の実施例２を示すもので、図１４における右側面図。
【図１６】本発明の実施例２を示すもので、脚部と本体部を締結した状態の拡大側面図。
【図１７】図１６における拡大前面図。
【図１８】図１６の状態から操作部材を左に回動して脚部と本体部の締結を解除した状態の拡大側面図。
【図１９】図１４の状態から脚部を折り畳んだ状態の前面図。
【図２０】図１９の状態における側面図。
【図２１】従来技術の脚折れテーブルの前面図。
【図２２】従来技術の脚折れテーブルの脚を畳んだ状態の前面図。
【符号の説明】
【００６３】
１、３１    テーブル
３、４０    脚部
４、３７、３８    支柱
８、３５    連結部材
８ａ、３５ａ  支柱側連結片
８ｂ、３５ｂ  天板側連結片
８ｄ、３５ｄ  鍵状部
９、３６    連結部材の回転軸
１１  天板の回転軸
１３、３２  天板
１８、４１  テーブル本体部
２０、４２  締結手段
２０ａ、４２ａ  軸
２０ｃ、４２ｃ  操作レバー
２０ｄ、４２ｄ  締結部材
２０ｅ、４２ｅ  鍵状部
２１  ロック手段（ロック部材）
【図１】
2006304945.tif 000003
【図２】
2006304945.tif 000004
【図３】
2006304945.tif 000005
【図４】
2006304945.tif 000006
【図５】
2006304945.tif 000007
【図６】
2006304945.tif 000008
【図７】
2006304945.tif 000009
【図８】
2006304945.tif 000010
【図９】
2006304945.tif 000011
【図１０】
2006304945.tif 000012
【図１１】
2006304945.tif 000013
【図１２】
2006304945.tif 000014
【図１３】
2006304945.tif 000015
【図１４】
2006304945.tif 000016
【図１５】
2006304945.tif 000017
【図１６】
2006304945.tif 000018
【図１７】
2006304945.tif 000019
【図１８】
2006304945.tif 000020
【図１９】
2006304945.tif 000021
【図２０】
2006304945.tif 000022
【図２１】
2006304945.tif 000023
【図２２】
2006304945.tif 000024